(57)【要約】      （修正有）【課題】筺体を大型化することなく、ドレン水の排水効率の向上を図った空気調和装置を提供する。【解決手段】ケーシング内に室内熱交換器１５と、この室内熱交換器１５の下方に配置されて当該室内熱交換器１５から流下するドレン水を受けるドレンパン３１とを備えた天吊型空気調和装置において、ドレンパン３１は、ドレン水を受ける水受部３１ａと、この水受部３１ａよりも低所に設けられ、ドレン水を貯留するドレン溜まり３１ｂと、これら水受部３１ａとドレン溜まり３１ｂとを接続する傾斜壁部３１ｃとを備え、この傾斜壁部３１ｃに室内熱交換器１５の下方部側面１５Ａを密着させた。【選択図】図４
2014149098.tif 000002
【特許請求の範囲】
【請求項１】
筐体内に室内熱交換器と、この室内熱交換器の下方に配置されて当該室内熱交換器から流下するドレン水を受けるドレンパンとを備えた空気調和装置において、
前記ドレンパンは、前記ドレン水を受ける水受部と、この水受部よりも低所に設けられ、前記ドレン水を貯留する貯留部と、これら水受部と貯留部とを接続する壁部とを備え、この壁部に前記室内熱交換器の側面部を密着させたことを特徴とする空気調和装置。
【請求項２】
前記室内熱交換器は、該室内熱交換器の下端部を前記貯留部の底面から離間させて配置されることを特徴とする請求項１に記載の空気調和装置。
【請求項３】
前記貯留部には、前記ドレン水を前記筐体の外に排出するドレンポンプが接続、または、配置されることを特徴とする請求項１または２に記載の空気調和装置。
【請求項４】
前記壁部は、前記水受部から前記貯留部に向けて傾斜し、前記室内熱交換器は、前記壁部の傾斜角度に合わせて傾斜配置されることを特徴とする請求項１乃至３のいずれかに記載の空気調和装置。
【請求項５】
前記壁部と前記室内熱交換器の側面部との間には、気密性と通水性とを兼ね備えるシール材が配置されることを特徴とする請求項１乃至４のいずれかに記載の空気調和装置。
【発明の詳細な説明】
【技術分野】
【０００１】
本発明は、筐体内にドレン水を受けるドレンパンを備えた空気調和装置に関する。
【背景技術】
【０００２】
従来、筐体内に室内熱交換器と、この室内熱交換器の下方に配置されて当該室内熱交換器から流下するドレン水を受けるドレンパンとを備えた空気調和装置が知られている（例えば、特許文献１参照）。この種のものでは、ドレンパンには、水受部とこの水受部よりも低所にドレン水を貯留する貯留部とが形成され、水受部に室内熱交換器が配置されている。
【先行技術文献】
【特許文献】
【０００３】
【特許文献１】特許４９８５６９７号公報
【発明の概要】
【発明が解決しようとする課題】
【０００４】
ところで、この種の空気調和装置では、水受部で受けたドレン水を貯留部に速やかに流し、ドレン水の排水効率を高めることが望ましい。これを実現するために、水受部に対して貯留部をより低所に設け、水受部と貯留部との高低差を大きく確保する構成が考えられる。
しかしながら、従来の構成では、室内熱交換器は、ドレンパンの水受部に配置されるため、水受部と貯留部との高低差を大きくすると、筺体が高さ方向に大型化する。
そこで、本発明の目的は、上述した従来の技術が有する課題を解消し、筺体を大型化することなく、ドレン水の排水効率の向上を図った空気調和装置を提供することにある。
【課題を解決するための手段】
【０００５】
上記課題を解決するため、本発明は、筐体内に室内熱交換器と、この室内熱交換器の下方に配置されて当該室内熱交換器から流下するドレン水を受けるドレンパンとを備えた空気調和装置において、前記ドレンパンは、前記ドレン水を受ける水受部と、この水受部よりも低所に設けられ、前記ドレン水を貯留する貯留部と、これら水受部と貯留部とを接続する壁部とを備え、この壁部に前記室内熱交換器の側面部を密着させて該室内熱交換器を配置したことを特徴とする。
【０００６】
この構成において、前記室内熱交換器は、該室内熱交換器の下端部を前記貯留部の底面から離間させて配置されても良い。また、前記貯留部には、前記ドレン水を前記筐体外に排出するドレンポンプが配置されても良い。
【０００７】
また、前記壁部は、前記水受部から前記貯留部に向けて傾斜し、前記室内熱交換器は、前記壁部の傾斜角度に合わせて傾斜配置されても良い。また、前記壁部と前記室内熱交換器の側面部との間には、気密性と通水性とを兼ね備えるシール材が配置されても良い。
【発明の効果】
【０００８】
本発明によれば、ドレンパンは、ドレン水を受ける水受部と、この水受部よりも低所に設けられ、ドレン水を貯留する貯留部と、これら水受部と貯留部とを接続する壁部とを備え、この壁部に室内熱交換器の側面部を密着させて配置したため、室内熱交換器と貯留部との高さ方向の位置関係を変更することなく、水受部を貯留部に対してより高い位置に形成することができる。これにより、筺体を大型化することなく、ドレンパンの水受部と貯留部との高低差を大きく形成でき、ドレン水の排水効率の向上を図ることができる。
【図面の簡単な説明】
【０００９】
【図１】本実施形態の天吊型空気調和装置の外観構成を示す斜視図である。
【図２】空気調和機本体の内部構造を示す断面図である。
【図３】空気調和機本体の内部構造を示す平面図である。
【図４】ドレンパンと室内熱交換器との配置関係を示す側面図である。
【図５】別の実施形態にかかる空気調和装置の内部構造を示す断面図である。
【発明を実施するための形態】
【００１０】
以下、図面を参照して本発明の実施の形態について説明する。
図１は、本実施形態にかかる天吊型空気調和装置１の外観構成を示す斜視図である。また、図２は、空気調和機本体１ａの内部構造を示す断面図であり、図３は、同じく内部構造を示す平面図である。
図１に示すように、天吊型空気調和装置（空気調和装置）１は、空気調和機本体１ａのケーシング（筐体）１２Ａの両側にサイドカバー４５が配置され、空気調和機本体１ａのケーシング１２Ａの下部（底部）に、底パネル１４と吸込グリル３７とが配置されて構成されている。また、ケーシング１２Ａには、空気調和機本体１ａをコントロールするための図示しないリモートコントローラからの指示信号を受信する図示しない受信ユニットがその裏面に配置された受信窓５０が設けられている。
【００１１】
図２に示すように、空気調和機本体１ａは、天井から吊り下げられた吊りボルト３に引っかけられて室内天井板５の下面に設置・固定されている。この空気調和機本体１ａには、吹出口４１が設けられた前面から順に、室内熱交換器１５、送風機１３が配置され、さらに、この他にも、電装箱１１、冷媒配管２９（図３）等の各種機器類が収納されている。
【００１２】
送風機１３は、図３に示すように四台の送風機ユニット２１〜２４からなり、これらは一台のモータ２５で駆動される回転軸２７上に固定・配置されている。
【００１３】
本構成の送風機１３は、図３に示すように、四台の送風機ユニット２１〜２４を備えており、これらは一台のモータ２５で駆動される回転軸２７上に固定、配置されている。室内熱交換器１５は、図２に示すようにフィン・チューブ型の熱交換器であり、空気調和機本体１ａ内に斜めに設置される。この室内熱交換器１５には冷媒配管２９が接続され、この冷媒配管２９は空気調和機本体１ａのケーシング１２Ａの外に導出され、室外機（図示せず）の圧縮機、減圧装置、室外熱交換器等に接続される。
【００１４】
室内熱交換器１５の下方には、図２に示すように、発泡スチロール製のドレンパン３１が設置され、このドレンパン３１の下面には板金製パネル３３が設置される。ドレンパン３１は、室内熱交換器１５から流下したドレン水を受ける水受部３１ａと、この水受部３１ａよりも低所に設けられ、ドレン水を貯留するドレン溜まり（貯留部）３１ｂとを備える。このドレン溜まり３１ｂの排水口３４には、不図示のフレキシブルチューブを介してドレンポンプユニットが接続され、このドレンポンプユニットに収容されるドレンポンプは、ドレン溜まり３１ｂに収集（貯留）されたドレン水を汲み上げて空気調和機本体１ａのケーシング１２Ａの外に排出する。
送風機１３の下方には、図２に示すように、樹脂製の吸込グリル３７が設置され、この吸込グリル３７には空気清浄用のフィルタ３９が取り付けられる。そして、送風機１３が駆動されると吸込グリル３７およびフィルタ３９を通じて室内の空気が空気調和機本体１ａ内に吸い込まれ、この空気は室内熱交換器１５で熱交換された後に、ルーバー５１により風向が調整されて、吹出口４１を通じて室内に吹き出される。中仕切板４３は、図３に示すように、空気調和機本体１ａの略中央を横断的に仕切る仕切板であり、送風機１３は、この中仕切板４３にて仕切られた室に配置されている。
【００１５】
ところで、本構成の天吊型空気調和装置１では、水受部３１ａで受けたドレン水をドレン溜まり３１ｂに速やかに流し、ドレン水の排水効率を高めることが望ましい。
また、ドレン溜まり３１ａに貯留されたドレン水をドレンポンプで汲み上げて空気調和機本体１ａ外に排出する構成では、ドレンポンプが停止した際に、ドレンホース内のドレン水はドレン溜まり３１ｂに返送される。ここで、ドレン水の返送量がドレン溜まり３１ｂの貯留量よりも多くなると、ドレン水が水受部３１ａ側に流れ、室内熱交換器１５の下端部がドレン水に浸ることとなる。この場合、室内熱交換器１５が長時間に亘り、ドレン水に浸ると、室内熱交換器１５のフィンが腐食する恐れが生じる。
【００１６】
上記した課題を解決するために、水受部３１ａに対してドレン溜まり３１ｂをより低所に設け、ドレン溜まり３１ｂの貯留量を確保すると共に、水受部３１ａとドレン溜まり３１ｂとの高低差を大きく確保する構成が考えられる。
しかしながら、単純にドレン溜まり３１ｂを深く形成するだけでは、ドレンパンが高さ方向に大型化し、ひいては、空気調和機本体１ａの高さ方向の大型化を招くという問題を生じる。
【００１７】
このため、本実施形態では、ドレンパン３１は、図４に示すように、水受部３１ａとドレン溜まり３１ｂとの間を接続する傾斜壁部（壁部）３１ｃを備え、この傾斜壁部３１ｃに、シール材４０を介して、室内熱交換器１５の下方部側面（側面部）１５Ａを密着させた状態で、該室内熱交換器１５を配置している。
具体的には、傾斜壁部３１ｃは、水受部３１ａからドレン溜まり３１ｂに向かって下方に傾斜し、この傾斜角度は、室内熱交換器１５が設置される傾斜角度と略同一の角度となっている。これにより、ドレンパン３１をした際に、傾斜壁部３１ｃと室内熱交換器１５の下方部側面１５Ａとが面接触するため、ドレンパン３１と室内熱交換器１５との隙間を通じて流れる通風量を抑えることができ、熱交換効率の向上を図ることができる。
さらに、ドレンパン３１と室内熱交換器１５との間には、シール材４０が配置されている。このシール材４０は、例えば、発泡樹脂材で形成された気密性を備える部材であるため、傾斜壁部３１ｃと室内熱交換器１５との傾斜角度に誤差があっても、ドレンパン３１と室内熱交換器１５との隙間をシールすることができる。
また、シール材４０は、気密性と共に水を通す通水性を備える。このため、水受部３１ａのドレン水は、シール材４０に浸潤して当該シール材４０を通過し、ドレン溜まり３１ｂに流入するため、排水効率の低下が抑えられる。
【００１８】
従来の構成では、図４に破線で示すように、室内熱交換器１５の下端部１５Ｂは、水受部５１ａに接触させて配置していたため、水受部５１ａとドレン溜まり３１ｂとの高低差を大きく確保できず、水受部５１ａで受けたドレン水をドレン溜まり３１ｂに速やかに流し、ドレン水の排水効率を高めることが難しかった。
これに対して、本実施形態では、傾斜壁部３１ｃに、室内熱交換器１５の下方部側面１５Ａを密着させたため、室内熱交換器１５とドレン溜まり３１ｂとの位置関係を変えることなく、水受部３１ａを従来よりも高所に設けることができる。従って、空気調和機本体１ａを高さ方向に大型化することなく、水受部３１ａとドレン溜まり３１ｂとの高低差を大きく確保でき、水受部３１ａで受けたドレン水をドレン溜まり３１ｂに速やかに流し、ドレン水の排水効率を高めることができる。
更に、従来の構成に比べて、ドレン溜まり３１ｂの底面３１ｂ１が室内熱交換器１５の下端部１５Ｂの下方まで延びるため、その分、ドレン溜まりの容積を増量することができ、ドレンポンプから返送されたドレン水によって、室内熱交換器１５の下端部１５Ｂがドレン水に浸ることを抑制できる。
【００１９】
以上、説明したように、ケーシング１２Ａ内に室内熱交換器１５と、この室内熱交換器１５の下方に配置されて当該室内熱交換器１５から流下するドレン水を受けるドレンパン３１とを備えた天吊型空気調和装置１において、ドレンパン３１は、ドレン水を受ける水受部３１ａと、この水受部３１ａよりも低所に設けられ、ドレン水を貯留するドレン溜まり３１ｂと、これら水受部３１ａとドレン溜まり３１ｂとを接続する傾斜壁部３１ｃとを備え、この傾斜壁部３１ｃに室内熱交換器１５の下方部側面１５Ａを密着させたため、室内熱交換器１５とドレン溜まり３１ｂとの高さ方向の位置関係を変更することなく、水受部３１ａをドレン溜まり３１ｂに対してより高い位置に形成することができる。これにより、空気調和機本体１ａを高さ方向に大型化することなく、水受部３１ａとドレン溜まり３１ｂとの高低差を大きく確保でき、水受部３１ａで受けたドレン水をドレン溜まり３１ｂに速やかに流し、ドレン水の排水効率を高めることができる。
さらに、ドレンパン３１の傾斜壁部３１ｃに室内熱交換器１５の下方部側面１５Ａを密着させることにより、ドレンパン３１と室内熱交換器１５との隙間を通じて、空気が流通することが防止され、熱交換効率の低下を抑制できる。
【００２０】
また、本実施形態によれば、室内熱交換器１５は、該室内熱交換器１５の下端部１５Ｂをドレン溜まり３１ｂの底面３１ｂ１から離間させて配置されるため、ドレン溜まり３１ｂを室内熱交換器１５の下端部１５Ｂの下方まで延出させることができ、その分、ドレン溜まりの容積を増量することができる。
【００２１】
また、本実施形態によれば、ドレン溜まり３１ｂには、ドレン水を空気調和機本体１ａ外に排出するドレンポンプユニットがフレキシブルチューブを介して接続されているため、ドレン溜まり３１ｂに貯まったドレン水を速やかに機外に排出できる。さらに、ドレン溜まり３１ｂの貯留量が増量されることにより、ドレンポンプから返送されたドレン水によって、室内熱交換器１５の下端部１５Ｂがドレン水に浸ることを抑制できる。
【００２２】
また、本実施形態によれば、傾斜壁部３１ｃは、水受部３１ａからドレン溜まり３１ｂに向けて下方に傾斜し、室内熱交換器１５は、傾斜壁部３１ｃの傾斜角度に合わせて傾斜配置されるため、傾斜壁部３１ｃと室内熱交換器１５の下方部側面１５Ａとを簡単に面接触させることができ、傾斜壁部３１ｃと室内熱交換器１５との隙間を通じて、空気が流通することを防止し、熱交換効率の低下を抑制できる。
【００２３】
また、本実施形態によれば、傾斜壁部３１ｃと室内熱交換器１５の下方部側面１５Ａとの間には、気密性を備えるシール材４０が配置されるため、傾斜壁部３１ｃと室内熱交換器１５との傾斜角度に多少の誤差があっても、ドレンパン３１と室内熱交換器１５との隙間をシールすることができる。また、シール材４０は、気密性と共に水を通す通水性を備えるため、水受部３１ａのドレン水は、シール材４０に浸潤して当該シール材４０を通過し、ドレン溜まり３１ｂに流入するため、排水効率の低下が抑えられる。
【００２４】
以上、一実施の形態に基づいて、本発明を説明したが、本発明は、これに限定されるものではない。
例えば、上記した実施形態では、ドレン溜まり３１ｂに、フレキシブルチューブを介して、ドレンポンプユニットを接続する構成としたが、これに限るものではなく、ドレンポンプをドレン溜まり３１ｂに配置する構成としても良い。
また、本実施形態では、天吊型空気調和装置１における室内熱交換器１５とドレンパン３１に本発明を適用した構成を説明したが、図５に示すように、いわゆる４方向カセットと呼ばれる天井埋込型の空気調和装置１００の室内熱交換器１１５とドレンパン１３１に適用することも可能である。この構成では、ドレンパン１３１は、室内熱交換器１１５から流下するドレン水を受ける水受部１３１ａと、この水受部１３１ａよりも低所に設けられ、ドレン水を貯留するドレン溜まり１３１ｂと、これら水受部１３１ａとドレン溜まり１３１ｂとを接続する壁部１３１ｃとを備え、この壁部１３１ｃに室内熱交換器１１５の下方部側面１１５Ａを密着させている。この構成においても、壁部１３１ｃと室内熱交換器１１５の下方部側面１１５Ａとの間には、上記シール材４０が配置されている。
この構成によれば、壁部１３１ｃに室内熱交換器１１５の下方部側面１１５Ａを密着させることにより、ドレン溜まり１３１ｂを深く形成することができる。このため、ドレン溜まり１３１ｂの底面と、室内熱交換器１１５の下端部との間に空間を設けることができ、このドレン溜まり１３１ｂの貯留量を増量することができることにより、ドレンポンプから返送されたドレン水によって、室内熱交換器１５の下端部がドレン水に浸ることを抑制できる。
【符号の説明】
【００２５】
１  天吊型空気調和装置（空気調和装置）
１ａ  空気調和機本体
１２Ａ  ケーシング（筐体）
１５、１１５  室内熱交換器
１５Ａ、１１５Ａ  下方部側面（側面部）
１５Ｂ  下端部
３１、１３１  ドレンパン
３１ａ、１３１ａ  水受部
３１ｂ、１３１ｂ  ドレン溜まり（貯留部）
３１ｂ１  底面
３１ｃ  傾斜壁部（壁部）
１３１ｃ  壁部
４０  シール材
５１ａ  水受部
１００  天井埋込型空気調和装置（空気調和装置）
【図１】
2014149098.tif 000003
【図２】
2014149098.tif 000004
【図３】
2014149098.tif 000005
【図４】
2014149098.tif 000006
【図５】
2014149098.tif 000007